(57)【要約】【課題】不意な開蓋を防止するとともに、必要時に容易に開蓋できる。【解決手段】カバー部材１２に略Ｌ字型の第１の案内孔１２ｃを備え、操作部材１１が第１の位置と第２の位置との間を移動する方向と、操作部材１１が第２の位置と第３の位置との間を移動する方向とを、互いに異ならせた。また、操作部材１１が第２の位置と第３の位置との間を移動するときのみ、ロックプレート１３を変位させる構成とした。すなわち、ロックプレート１３の係合部１３ｆと係合リブ２１との係合を外す際の操作部材１１の変位方向と、ロックプレート１３の変位を規制／解除する際の操作部材１１の変位方向とが異なるため、外部から加わる衝撃等によって容易にロックが解除されてしまうことを防ぐことができる。【選択図】図２
2012253268.tif 000002
【特許請求の範囲】
【請求項１】
開口部を備えた筐体と、
前記開口部を開閉するカバー部材と、
前記カバー部材に変位可能に配されている操作部材と、
前記カバー部材に配され、前記筐体に係合し前記カバー部材の開蓋動作を規制する第１の位置と、前記筐体から離間し前記カバー部材の開蓋動作を可能とする第２の位置とに変位可能なロック部材とを備え、
前記操作部材は、
前記ロック部材が前記第１の位置と前記第２の位置との間を変位するとき、前記ロック部材に同期して変位し、
前記ロック部材が前記第１の位置にあるとき、第３の位置と第４の位置との第１の方向に変位可能であり、前記ロック部材が前記第１の位置から前記第２の位置への変位に連動して前記第４の位置から第５の位置の第２の方向に変位可能であり、
前記第１の方向と前記第２の方向とが異なる、電子機器。
【請求項２】
前記ロック部材は、前記第１の方向に変位可能の状態にあるとき、前記第３の位置に前記操作部を付勢する付勢部を備える、請求項１記載の電子機器。
【発明の詳細な説明】
【技術分野】
【０００１】
本願は、開閉蓋を備えた電子機器に関する。
【背景技術】
【０００２】
ノートパソコンやデジタルカメラ等の携帯型電子機器は、バッテリーを着脱可能なスロットと、スロットを開閉可能な蓋体とを備えていることがある。
【０００３】
特許文献１は、バッテリースロットを開閉可能な電池蓋構造を備え、バッテリースロットの一端に備える一対の係止穴に電池蓋体に配置した係止突起がスライド嵌合することで、バッテリースロットを閉蓋する構成を開示している。特許文献２は、ロックレバーとロックレバープレートとが防水フタを貫通して固着し、ロックレバーを回転させることで挿入口を閉蓋する構成を開示している。
【先行技術文献】
【特許文献】
【０００４】
【特許文献１】特開２００３−１４２８４１号公報
【特許文献２】特開２００１−２１９７９号公報
【発明の概要】
【発明が解決しようとする課題】
【０００５】
しかしながら特許文献が開示している構成では、電子機器を誤って床等に落下させてしまったときに、その落下衝撃によって電池蓋が容易に開いてしまう場合がある。具体的には、電子機器が通電され動作しているときに、不意に電池蓋が開き、電子機器から電池が脱落し、電池と電子機器との通電状態が遮断されてしまうと、電子機器に障害が生じてしまう可能性がある。例えば、特許文献１及び２に開示されているようなカメラにおいて、記憶媒体（例えば特許文献１のメモリカード３２）に撮影画像を記録しているときに電池がカメラから脱落すると、記憶媒体へ記録しようとしている撮影画像が失われてしまう可能性がある。
【課題を解決するための手段】
【０００６】
本願に開示する電子機器は、開口部を備えた筐体と、前記開口部を開閉するカバー部材と、前記カバー部材に変位可能に配されている操作部材と、前記カバー部材に配され、前記筐体に係合し前記カバー部材の開蓋動作を規制する第１の位置と、前記筐体から離間し前記カバー部材の開蓋動作を可能とする第２の位置とに変位可能なロック部材とを備えている。前記操作部材は、前記ロック部材が前記第１の位置と前記第２の位置との間を変位するとき、前記ロック部材に同期して変位し、前記ロック部材が前記第１の位置にあるとき、第３の位置と第４の位置との第１の方向に変位可能であり、前記ロック部材が前記第１の位置から前記第２の位置への変位に連動して前記第４の位置から第５の位置の第２の方向に変位可能であり、前記第１の方向と前記第２の方向とが異なる。
【発明の効果】
【０００７】
本願の開示によれば、開口部を閉蓋する蓋体が電子機器に加わる衝撃によって容易に開きにくくするとともに、ユーザーが蓋体を開閉する際の操作性を向上することができる。
【図面の簡単な説明】
【０００８】
【図１】ノートパソコンの斜視図
【図２】蓋体の分解斜視図
【図３】カバー部材における第１の案内孔近傍の平面図
【図４】ロックプレートにおける第２の案内孔近傍の平面図
【図５Ａ】蓋体の表面側の平面図（ロック状態）
【図５Ｂ】蓋体の表面側の平面図（操作部材をスライドさせた状態）
【図５Ｃ】蓋体の表面側の平面図（ロック解除状態）
【図６Ａ】蓋体の裏面側の平面図（ロック状態）
【図６Ｂ】蓋体の裏面側の平面図（操作部材をスライドさせた状態）
【図６Ｃ】蓋体の裏面側の平面図（ロック解除状態）
【図７Ａ】蓋体の断面図（ロック状態）
【図７Ｂ】蓋体の断面図（ロック解除状態）
【図７Ｃ】蓋体の断面図（開蓋可能状態）
【図８Ａ】蓋体の変形例を示す裏面側の平面図（ロック解除状態）
【図８Ｂ】蓋体の変形例を示す裏面側の平面図（操作部材をスライドさせた状態）
【図８Ｃ】蓋体の変形例を示す裏面側の平面図（ロック状態）
【図９Ａ】蓋体の変形例を示す裏面側の平面図
【図９Ｂ】図９ＡにおけるＬ−Ｌ部の断面図
【発明を実施するための形態】
【０００９】
（実施の形態１）
〔１．電子機器の構成〕
図１は、本実施の形態にかかるノートパソコンの外観を示す斜視図である。図１に示すノートパソコンは、電子機器の一例である。本実施の形態では、電子機器の一例としてノートパソコンを挙げたが、少なくともバッテリーユニットやハードディスクドライブユニット等を着脱可能なスロットと、そのスロットを開閉する蓋体とを備えた電子機器であればよい。本実施の形態の電子機器は、ノートパソコンの他、デジタルカメラ、携帯型ゲーム機等に適用することができる。
【００１０】
図１に示すように、ノートパソコンは、第１の筐体１と第２の筐体２とを備えている。第１の筐体１は、各種電気素子が実装された回路基板や、中央演算処理装置等を内蔵している。第２の筐体２は、ディスプレイパネル４を備えている。ディスプレイパネル４は、例えば液晶ディスプレイパネルで実現することができる。第１の筐体１と第２の筐体２とは、ヒンジ部３によって互いに回動自在に支持されている。なお、本実施の形態では、第１の筐体１と第２の筐体２とを備えたノートパソコンを挙げたが、スレート型コンピューター等のように単一筐体からなる電子機器であってもよい。第１の筐体１の上面１ａには、キーボード５とポインティングデバイス６とが配されている。第１の筐体１は、バッテリースロット２０を内蔵している。第１の筐体１の側面１ｂには、蓋体１０が配されている。
【００１１】
蓋体１０は、第１の筐体１に回動可能に支持され、第１の筐体１内に設けられたバッテリースロット２０を閉蓋する閉蓋位置と、バッテリースロット２０を開放する開蓋位置とに変位可能である。図１は、蓋体１０が閉蓋位置にある状態を示している。蓋体１０を開蓋位置へ変位させることによって、バッテリーユニット１００をバッテリースロット２０へ挿入（矢印Ｂ）またはバッテリースロット２０から取り出すことができる。
【００１２】
バッテリースロット２０は、蓋体１０によって開閉可能な開口部を有する。バッテリースロット２０は、内部にバッテリーユニット１００の電気接点と電気的に接続可能な電気接点を備えている。
【００１３】
バッテリーユニット１００は、二次電池を内蔵している。なお、バッテリーユニット１００は、本実施の形態のように充電及び放電が可能な二次電池に限らず、放電のみ可能な一次電池であってもよい。
【００１４】
〔２．蓋体１０の構成〕
図２は、蓋体１０の分解斜視図である。蓋体１０は、操作部材１１、カバー部材１２、ロックプレート１３、スライドプレート１４、およびネジ１５ａ〜１５ｃを備えている。図３は、カバー部材１２に形成された第１の案内孔１２ｃ近傍の平面図である。図４は、ロックプレート１３に形成された第２の案内孔１３ｃ近傍の平面図である。
【００１５】
操作部材１１は、平板状の部材である。操作部材１１は、ユーザーが蓋体１０を開閉する際にスライド操作する部材である。操作部材１１は、本実施の形態ではマグネシウム等の金属で形成したが、樹脂等で形成してもよく、材料は限定されない。操作部材１１は、外部に露出する表面１１ａと、カバー部材１２に対向する裏面１１ｂとを有する。表面１１ａは、ユーザーが指等で操作部材１１をスライド操作する際に、指を当接させる面である。表面１ａは、ユーザーが指等で操作部材１１をスライド操作する際に指を滑りにくくするために、複数の微小凹凸が形成されていることが好ましい。表面１１ａは、ユーザーが操作部材１１のスライド方向を目視で把握できるように、スライド方向を示す記号等が表記されていることが好ましい。操作部材１１は、表面１１ａの外周縁部において表面１１ａから突出した突起部１１ｄを備えている。突起部１１ｄは、表面１１ａを囲むように形成されている。突起部１１ｄを備えたことにより、ユーザーが指で操作部材１１を変位させる際、突起部１１ｄに指を引っ掛けることができるため、操作部材１１を指の移動に確実に追従させることができる。したがって、操作部材１１を変位させて蓋体１０のロックを解除または蓋体のロックをする際の操作性を向上させることができる。なお、本実施の形態では、表面１１ａの周囲全域に突起部１１ｄを設けたが、少なくともユーザーが指を引っ掛けることができればよいため、表面１１ａの周囲の一部にのみ突起部１１ｄを設けてもよい。また、操作部材１１の表面１１ａと指との摩擦を高める構成を備えていれば、突起部１１ｄは省略することができる。裏面１１ｂは、操作部材１１をスライドさせる際、カバー部材１２の表面１２ａを摺動する。裏面１１ｂは、操作部材１１を円滑にスライド可能なように、滑りやすい加工が施されていることが好ましい。裏面１１ｂには、ボス１１ｃが突出形成されている。ボス１１ｃは、例えば円柱形状に形成されているが、この形状に限定されなく、四角柱形状等であってもよい。ボス１１ｃは、端面にネジ孔（不図示）が形成されている。
【００１６】
カバー部材１２は、平板状の部材である。カバー部材１２は、少なくともバッテリースロット２０（図１参照）の開口部を閉塞できる形状及び大きさを有する。カバー部材１２は、本実施の形態では樹脂で形成したが、金属等で形成してもよく、材料は限定されない。カバー部材１２は、表面１２ａから裏面１２ｂに達するまで貫通するように第１の案内孔１２ｃが形成されている。表面１２ａは、外部に露出する面である。裏面１２ｂは、バッテリースロット２０を閉口する面である。第１の案内孔１２ｃは、表面１２ａ及び裏面１２ｂにおける開口形状が略Ｌ字形状である。第１の案内孔１２ｃは、操作部材１１に形成されたボス１１ｃが遊嵌される。第１の案内孔１２ｃは、図３に示すように、第１規制面１２ｇ、第２規制面１２ｈ、第３規制面１２ｊ、第４規制面１２ｋ、第５規制面１２ｍ、および第６規制面１２ｎを有する。第１規制面１２ｇと第２規制面１２ｈ及び第６規制面１２ｎとは、平行対向している。第４規制面１２ｋと第３規制面１２ｊ及び第５規制面１２ｍとは、平行対向している。第１規制面１２ｇと第３規制面１２ｊ及び第４規制面１２ｋ、第２規制面１２ｈと第３規制面１２ｊ及び第５規制面１２ｍ、第６規制面１２ｎと第４規制面１２ｋ及び第５規制面１２ｍとは、それぞれ直交している。カバー部材１２は、裏面１２ｂにネジ孔１２ｄ及び１２ｅが形成されている。カバー部材１２は、端部に２個のヒンジ金具１２ｆが配されている。ヒンジ金具１２ｆは、支軸２２（後述）によってカバー部材１２に回動自在に支持されている。
【００１７】
ロックプレート１３は、平板状の部材である。ロックプレート１３は、本実施の形態では平面形状を長方形としたが、この形状に限定されない。ロックプレート１３は、カバー部材１２の裏面１２ｂに配置される。ロックプレート１３は、カバー部材１２の裏面１２ｂ上をＹ軸方向へ変位可能である。ロックプレート１３は、本実施の形態ではアルミニウム等の金属で形成したが、樹脂等で形成してもよく、材料は限定されない。ロックプレート１３は、第１の筐体１の係合リブ（後述）に係合可能である。ロックプレート１３は、表面１３ａから裏面１３ｂに達するまで第２の案内孔１３ｃが形成されている。第２の案内孔１３ｃは、Ｘ軸方向に長辺を有する略長方形状に形成されている。第２の案内孔１３ｃは、操作部材１１に形成されたボス１１ｃが遊嵌している。第２の案内孔１３ｃは、互いに平行対向する一対の長辺１３ｇ及び１３ｈと、互いに平行対向する一対の短辺１３ｊ及び１３ｋとを有する。長辺１３ｇと短辺１３ｊ及び１３ｋ、長辺１３ｈと短辺１３ｊ及び１３ｋとは、それぞれ直交している。ロックプレート１３は、表面１３ａから裏面１３ｂに達するまで第３の案内孔１３ｄ及び第４の案内孔１３ｅが形成されている。第３の案内孔１３ｄ及び第４の案内孔１３ｅは、Ｙ軸方向に長辺を有する略長方形状に形成されている。第３の案内孔１３ｄ及び第４の案内孔１３ｅは、ネジ１５ｂ及び１５ｃが遊嵌している。ネジ１５ｂは第３の案内孔１３ｄ内を変位可能であり、ネジ１５ｃは第４の案内孔１３ｅ内を変位可能であるため、ロックプレート１３はＹ軸方向へ変位可能である。ロックプレート１３は、一方の長辺に沿って係合部１３ｆが形成されている。係合部１３ｆは、ロックプレート１３の裏面１３ｂ側に突出して形成されている。係合部１３ｆは、第１の筐体１に形成された係合リブ（後述）に係合可能である。なお、第２の案内孔１３ｃ、第３の案内孔１３ｄ、および第４の案内孔１３ｅは、開口形状が長方形に限らず、長円形（オーバル型）であってもよい。
【００１８】
スライドプレート１４は、平板状の部材である。スライドプレート１４は、本実施の形態では長方形状に形成したが、この形状に限定されない。スライドプレート１４は、ロックプレート１３の裏面１３ｂに摺動可能に配置される。スライドプレート１４は、本実施の形態ではリン青銅等の金属で形成したが、樹脂等で形成してもよく、材料は限定されない。スライドプレート１４は、孔部１４ａが貫通形成されている。孔部１４ａは、ネジ１５ａを挿通可能な内径を有する。
【００１９】
ネジ１５ａは、スライドプレート１４の孔部１４ａ、ロックプレート１３の第２の案内孔１３ｃ、およびカバー部材１２の第１の案内孔１２ｃを挿通し、操作部材１１のボス１１ｃに形成されたネジ孔に螺合される。ネジ１５ｂは、ロックプレート１３の第３の案内孔１３ｄを挿通し、カバー部材１２に形成されたネジ孔１２ｄに螺合される。ネジ１５ｃは、ロックプレート１３の第４の案内孔１３ｅを挿通し、カバー部材１２に形成されたネジ孔１２ｅに螺合される。これにより、操作部材１１、カバー部材１２、ロックプレート１３、およびスライドプレート１４は、互いに結合する。
【００２０】
〔３．蓋体１０の開閉動作〕
図５Ａ〜図５Ｃは、蓋体１０の表面１０ａ側の平面図である。図６Ａ〜図６Ｃは、蓋体１０の裏面１０ｂ側の平面図である。図７Ａは、図５ＡにおけるＬ１−Ｌ１部の断面図である。図７Ｂは、図５ＣにおけるＬ２−Ｌ２部の断面図である。図７Ｃは、蓋体１０を開いた状態を示す断面図である。図５Ａ、図６Ａ、および図７Ａは、操作部材１１がロック位置にある状態を示す。図５Ｂ及び図６Ｂは、操作部材１１がロック解除位置にある状態を示す。図５Ｃ、図６Ｃ、および図７Ｂは、操作部材１１が開閉可能位置にある状態を示す。蓋体１０は、操作部材１１がロック位置、ロック解除位置、および開閉可能位置にあるとき、バッテリースロット２０（図１参照）を閉塞している。なお、図６Ａ〜図６Ｃは、ボス１１ｃと第１の案内孔１２ｃとの嵌合状態を明確に図示するために、スライドプレート１４及びネジ１５ａの図示は省略した。
【００２１】
まず、操作部材１１は、図５Ａ及び図６Ａに示すロック位置にあるとき、ボス１１ｃが第１の案内孔１２ｃの第１規制面１２ｇ及び第２規制面１２ｈに近接または当接しているため、Ｙ軸方向の位置が規制されている。操作部材１１は、ボス１１ｃが第１の案内孔１２ｃの第３規制面１２ｊに近接または当接しているため、矢印Ｘ１に示す方向の位置が規制されている。また、図６Ａ及び図７Ａに示すように、ロックプレート１３は、係合部１３ｆがリブ２１に係合する位置にある。ロックプレート１３は、ボス１１ｃが第２の案内孔１３ｃの長辺１３ｇ及び１３ｈに近接または当接しているため、Ｙ軸方向の位置が規制されている。ロックプレート１３は、第３の案内孔１３ｄの一対の長辺にネジ１５ｂが近接または当接し、第４の案内孔１３ｅの一対の長辺にネジ１５ｃが近接または当接しているため、Ｘ軸方向の位置が規制されている。以上により、蓋体１０は、ロック位置にあるとき、バッテリースロット２０（図１参照）を閉塞するとともに、係合部１３ｆが係合リブ２１に係合しているため閉塞状態を維持している。
【００２２】
操作部材１１は、ロック位置にあるとき、図５Ａ及び図６Ａに示す矢印Ｃに示す方向へ変位可能である。具体的には、ボス１１ｃが第１の案内孔１２ｃに沿って変位可能であるため、操作部材１１は、図５Ａ及び図６Ａに示す位置から矢印Ｃに示す方向へ変位可能である。操作部材１１は、図５Ａ及び図６Ａに示す位置から矢印Ｃに示す方向へ変位させると、図５Ｂ及び図６Ｂに示すロック解除位置へ変位する。
【００２３】
操作部材１１は、ロック解除位置にあるとき、ボス１１ｃが第１の案内孔１２ｃの第１規制面１２ｇ及び第４規制面１２ｋに近接または当接しているため、矢印Ｘ２に示す方向及び矢印Ｙ１に示す方向への変位が規制されている。
【００２４】
操作部材１１は、ロック解除位置にあるとき、図５Ｂ及び図６Ｂに示す矢印Ｄに示す方向へ変位可能である。具体的には、ボス１１ｃが第１の案内孔１２ｃに沿って変位可能であるため、操作部材１１は、図５Ｂ及び図６Ｂに示す位置から矢印Ｄに示す方向へ変位可能である。操作部材１１を図５Ｂ及び図６Ｂに示す位置から矢印Ｄに示す方向へ変位させると、ボス１１ｃは、第１の案内孔１２ｃの第４規制面１２ｋ及び第５規制面１２ｍに沿って矢印Ｄに示す方向へ変位する。このとき、ロックプレート１３は、ボス１１ｃがロックプレート１３の第２の案内孔１３ｃの長辺１３ｇを押すため、矢印Ｄに示す方向へ変位する。また、ロックプレート１３は、ネジ１５ｂが第３の案内孔１３ｄに遊嵌し、ネジ１５ｃが第４の案内孔１３ｅに遊嵌しているため、第３の案内孔１３ｄ及び第４の案内孔１３ｅの長手方向に沿って矢印Ｄに示す方向へ変位する。
【００２５】
操作部材１１は、図５Ｃ及び図６Ｃに示すように開閉可能位置にあるとき、ボス１１ｃが第１の案内孔１２ｃの第４規制面１２ｋ及び第５規制面１２ｍに近接または当接しているため、Ｘ軸方向の位置が規制されている。操作部材１１は、ボス１１ｃが第１の案内孔１２ｃの第６規制面１２ｎに近接または当接しているため、矢印Ｙ２に示す方向の位置が規制されている。また、図６Ｃ及び図７Ｂに示すように、ロックプレート１３は、係合部１３ｆと係合リブ２１との係合が外れた位置にある。ロックプレート１３は、ボス１１ｃが第２の案内孔１３ｃの長辺１３ｇ及び１３ｈに近接または当接しているため、Ｙ軸方向の位置が規制されている。ロックプレート１３は、第３の案内孔１３ｂの長辺にネジ１５ｂが近接または当接し、第４の案内孔１３ｃの長辺にネジ１５ｃが近接または当接しているため、Ｘ軸方向の位置が規制されている。
【００２６】
以上により、蓋体１０は、操作部材１１が開閉可能位置にあるとき、ロックプレート１３の係合部１３ｆと係合リブ２１との係合が外れているため、図７Ｃに示すようにバッテリースロット２０（図１参照）を開放する位置へ回動させることができる。図７Ｃに示す蓋体１０の状態を、「開蓋状態」と称する。蓋体１０を図７Ｂに示す閉蓋状態から図７Ｃに示す開蓋状態へ移行させる際は、ユーザーが蓋体１０の一部（例えばカバー部材１２の端部）を把持して矢印Ａに示す方向へ回動させてもよいし、蓋体１０の自重により矢印Ａに示す方向へ回動させる構成としてもよい。
【００２７】
蓋体１０がバッテリースロット２０を開放することにより、バッテリースロット２０内へバッテリーユニット１００（図１参照）を挿入したり、バッテリースロット２０に収納されているバッテリーユニット１００を取り出したりすることができる。
【００２８】
なお、カバー部材１２は、図７Ａ〜図７Ｃに示すように、支軸２２によって第１の筐体１に回動自在に支持されている。したがって、カバー部材１２は、支軸２２を軸にして矢印Ａ（図７Ｂ参照）に示す方向および矢印Ｈ（図７Ｃ参照）に示す方向へ回動させることができる。
【００２９】
蓋体１０を図７Ｃに示す開蓋状態から閉蓋状態へ移行する際は、まず、蓋体１０を矢印Ｇに示す方向へ回動させて図７Ｂに示す状態にする。図７Ｂに示す状態では、カバー部材１２が係合リブ２１の側部に当接している。このとき、操作部材１１は、図５Ｃに示す開閉可能位置にある。また、ロックプレート１３及びスライドプレート１４は、図６Ｃに示す開閉可能位置にある。
【００３０】
次に、操作部材１１を矢印Ｅに示す方向へ変位させる。このとき、操作部材１１のボス１１ｃが、ロックプレート１３の第２の案内孔１３ｃの長辺１３ｈを矢印Ｅに示す方向へ押すため、ロックプレート１３は、操作部材１１の変位に伴って矢印Ｅに示す方向へ変位する。また、スライドプレート１４も、操作部材１１の変位に伴って矢印Ｅに示す方向へ変位する。
【００３１】
ボス１１ｃが第１の案内孔１２ｃの第１規制面１２ｇに当接するまで操作部材１１を変位させることによって、操作部材１１，ロックプレート１３，スライドプレート１４は、図５Ｂ、図６Ｂ、および図７Ａに示すロック解除位置に到達する。このとき、ロックプレート１３がロック解除位置に達することにより、ロックプレート１３の係合部１３ｆが係合リブ２１に係合する。これにより、蓋体１０を矢印Ａに示す方向へ回動することが規制される。
【００３２】
次に、操作部材１１を矢印Ｇに示す方向へ変位させる。このときボス１１ｃは、第１の案内孔１２ｃ内を第１規制面１２ｇ及び第２規制面１２ｈに沿って変位するとともに、第２の案内孔１３ｃ内を長辺１３ｇ及び１３ｈに沿って変位する。スライドプレート１４は、操作部材１１の変位に伴って、矢印Ｇに示す方向へ変位する。ロックプレート１３は、図６Ｂに示すロック解除位置にとどまる。
【００３３】
操作部材１１を図５Ａに示すロック位置へ変位させることにより、ボス１１ｃが、第１の案内孔１２ｃの第１規制面１２ｇ及び第２規制面１２ｈに近接または当接した状態となるため、操作部材１１はＹ軸方向への変位が規制される。また、ロックプレート１３は、第２の案内孔１３ｃにボス１１ｃが遊嵌し、第２の案内孔１３ｃの長辺１３ｇ及び１３ｈにボス１１ｃが近接または当接しているため、Ｙ軸方向への変位が規制される。したがって、ロックプレート１３の係合部１３ｆと係合リブ２１との係合状態が維持され、蓋体１０が矢印Ａに示す方向へ回動することが規制される。
【００３４】
〔４．実施の形態の効果、他〕
本実施の形態によれば、カバー部材１２に略Ｌ字型の第１の案内孔１２ｃを備え、操作部材１１がロック位置とロック解除位置との間を移動する方向と、操作部材１１がロック解除位置と開閉可能位置との間を移動する方向とを、互いに異ならせた。また、操作部材１１がロック解除位置と開閉可能位置との間を移動するときのみ、ロックプレート１３を変位させる構成とした。すなわち、ロックプレート１３の係合部１３ｆと係合リブ２１との係合を外す際の操作部材１１の変位方向と、ロックプレート１３の変位を規制／解除する際の操作部材１１の変位方向とが異なる構成とした。このような構成としたことにより、例えば電子機器を誤って床等に落下させてしまったときなど、外部から衝撃が加わった際に、容易にロックが解除されて蓋体が開いてしまうことを防ぐことができる。
【００３５】
また、本実施の形態の操作部材１１は、ユーザーが片手の一本の指（例えば第２指）を表面１１ａに押し当てながらＸ軸方向及びＹ軸方向（図５Ａ〜図５Ｃ等参照）へ変位させることができる。したがって、蓋体１０のロックを解除する操作及び蓋体１０をロックする操作を容易に行うことができる。
【００３６】
なお、本実施の形態では、蓋体１０でバッテリースロット２０を開閉する蓋体に本実施の形態の構成を適用したが、バッテリースロット２０に限らず、例えばハードディスクドライブスロット、拡張カードスロット、インターフェース端子等を開閉する蓋体にも本実施の形態の構成を適用できる。
【００３７】
また、本実施の形態では、蓋体１０及びそれにより開閉される開口部（本実施の形態ではバッテリースロット２０）は、第１の筐体１に備えたが、第２の筐体２に備えてもよい。
【００３８】
また、スライドプレート１４は、板バネ等の弾性材料で形成し、僅かに弾性変形させながらロックプレート１３に当接させることにより、操作部材１１，カバー部材１２，ロックプレート１３、およびスライドプレート１４における機械的ガタツキを低減することができる。
【００３９】
また、本実施の形態におけるバッテリースロット２０は、開口部の一例である。第１の筐体１は、筐体の一例である。操作部材１１は、操作部材の一例である。カバー部材１２は、カバー部材の一例である。ロックプレート１３は、ロック部材の一例である。図６Ａ及び図６Ｂに示すロックプレート１３の位置は、第１の位置の一例である。図６Ｃに示すロックプレート１３の位置は、第２の位置の一例である。図５Ａに示す操作部材１１の位置（ロック位置）は、第３の位置の一例である。図５Ｂに示す操作部材１１の位置（ロック解除位置）は、第４の位置の一例である。図５Ｃに示す操作部材１１の位置（開閉可能位置）は、第５の位置の一例である。図５Ａに示すＸ軸方向は、第１の方向の一例である。図５Ａに示すＹ軸方向は、第２の方向の一例である。
【００４０】
以下、本実施の形態の電子機器について、変形例を開示する。
【００４１】
（変形例１）
図８Ａ〜図８Ｃは、蓋体１０の変形例を示す平面図である。図８Ａは、操作部材１１が開閉可能位置にある状態を示す。図８Ｂは、操作部材１１がロック解除位置にある状態を示す。図８Ｃは、操作部材１１がロック位置にある状態を示す。図８Ａ〜図８Ｃに示す変形例は、本実施の形態の蓋体１０にバネ１６を追加した構成である。バネ１６は、ねじりコイルバネで構成されている。バネ１６は、一方の端部１６ａがロックプレート１３に係止され、他方の端部１６ｂが操作部材１１のボス１１ｃに当接している。バネ１６は、弾性変形した状態で端部１６ａがロックプレート１３に係止され端部１６ｂがボス１１ｃに当接しているため、端部１６ｂは、バネ１６の弾性復帰力によってボス１１ｃを矢印Ｊに示す方向へ押圧している。
【００４２】
まず、図８Ａに示す状態のとき、ボス１１ｃは、カバー部材１２の第１の案内孔１２ｃの第４規制面１２ｋ及び第５規制面１２ｍに近接または当接しているため、Ｘ軸方向の位置が規制されている。したがって、バネ１６の端部１６ｂによってボス１１ｃに矢印Ｊに示す方向の付勢力が加わっているが、ボス１１ｃ及びそれを備えた操作部材１１はＸ軸方向へ変位しない。
【００４３】
次に、図８Ａに示す状態から操作部材１１を矢印Ｆに示す方向へ変位させると、図８Ｂに示す状態になる。図８Ｂに示す状態では、ボス１１ｃは、第２の案内孔１２ｃの第１規制面１２ｇ及び第４規制面１２ｋに近接または当接しているため、矢印Ｊに示す方向へ変位可能となる。このとき、ボス１１ｃは、バネ１６の端部１６ｂによる矢印Ｊに示す方向の付勢力によって、矢印Ｊに示す方向へ押圧されて変位する。これに伴い、操作部材１１は、図８Ｂに示す位置から矢印Ｊに示す方向へ変位し、図８Ｃに示す状態となる。
【００４４】
このように、図８Ａ〜図８Ｃに示す変形例によれば、蓋体１０をロック状態へ移行する際に、操作部材１１を開閉可能位置からロック解除位置へ手動で変位させるだけで、バネ１６の付勢力によって操作部材１１はロック位置へ変位させられる。したがって、蓋体１０をロック状態へ移行する操作を容易に行うことができる。
【００４５】
（変形例２）
図９Ａは、蓋体１０の変形例を示す平面図である。図９Ｂは、図９ＡにおけるＬ−Ｌ部の断面図である。図９Ａ及び図９Ｂに示す構成は、本実施の形態のカバー部材１２に防水部材１７を追加した構成である。なお、図９Ａ及び図９Ｂは、ボス１１ｃと第１の案内孔１２ｃとの嵌合状態を明確に図示するために、スライドプレート１４及びネジ１５ａの図示は省略した。
【００４６】
防水部材１７は、カバー部材１２の裏面１２ｂの外周縁部近傍に配されている。防水部材１７は、カバー部材１２の裏面１２ｂを囲むように形成されている。防水部材１７は、水等の液体を透過させず、弾力性がある材料で形成され、例えばシリコンゴムで形成することができる。防水部材１７は、図９Ｂに示すように、蓋体１０を閉蓋状態にしたときにバッテリースロット２０の開口部を囲む部分に当接するように構成されている。防水部材１７は、バッテリースロット２０内への液体の進入を防止するために、バッテリースロット２０の開口部を囲む部分に密着していることが好ましい。防水部材１７は、バッテリースロット２０内への液体の進入を確実に防止するために、カバー部材１２と第１の筐体１とに挟まれて弾性変形し、バッテリースロット２０の開口部を囲む部分に密着していることが好ましい。また、バッテリースロット２０の開口部を囲む部分において、防水部材１７が当接する部位に、防水部材１７に向かって突出する凸部を立設する構成が望ましい。
【００４７】
また、本変形例２では、カバー部材１２に防水部材１７を配置した例で説明したが、防水部材をバッテリースロット２０の開口部を囲む部分に備える構成であってもよく、この構成の場合には防水部材に向かって突出する凸部をカバー部材１２の裏面１２ｂにおける密着部位に配置する構成が望ましい。
【００４８】
このような構成とすることにより、蓋体１０を閉蓋状態へ移行したときに、バッテリースロット２０内へ外部から液体等の異物が進入することを防止することができる。
【００４９】
また、上述の説明ではバッテリーの着脱を例として挙げて説明したが、例えばコネクタやハードディスクドライブ等を開閉蓋する蓋にも適用することができる。
【産業上の利用可能性】
【００５０】
本願の開示は、電子機器に有用である。
【符号の説明】
【００５１】
１０  蓋体
１１  操作部材
１２  カバー部材
１３  ロックプレート
１４  スライドプレート
【図１】
2012253268.tif 000003
【図２】
2012253268.tif 000004
【図３】
2012253268.tif 000005
【図４】
2012253268.tif 000006
【図５Ａ】
2012253268.tif 000007
【図５Ｂ】
2012253268.tif 000008
【図５Ｃ】
2012253268.tif 000009
【図６Ａ】
2012253268.tif 000010
【図６Ｂ】
2012253268.tif 000011
【図６Ｃ】
2012253268.tif 000012
【図７Ａ】
2012253268.tif 000013
【図７Ｂ】
2012253268.tif 000014
【図７Ｃ】
2012253268.tif 000015
【図８Ａ】
2012253268.tif 000016
【図８Ｂ】
2012253268.tif 000017
【図８Ｃ】
2012253268.tif 000018
【図９Ａ】
2012253268.tif 000019
【図９Ｂ】
2012253268.tif 000020